(57)【要約】      （修正有）【課題】蛸等の釣り対象を針部の針先に容易に引っ掛けることができ、疑似餌或いは生餌に誘引させた蛸等の釣り対象を確実に釣り上げることが可能な釣り針を提供する。【解決手段】釣り糸を取り付ける結線部１１と、結線部に取り付けられる複数の軸部１２と、軸部の先端側に設けられる針部１３と、軸部の基端側に設けられる浮き部１４と、軸部に疑似餌或いは生餌を取り付けるための取り付け部１６と、を備え、針部１３は、その針先１３ａが軸部の基端側に向くように設けられ、軸部毎に設けられる浮き部１４は、互いに接触可能に設けられ、浮き部同士が接触することにより、衝突音が発せられるとともに、軸部毎に設けられる針部同士の間隔が調整される。【選択図】図２
0003209868.tif 000002
【実用新案登録請求の範囲】
【請求項１】
釣り糸を取り付ける結線部と、
前記結線部に取り付けられる複数の軸部と、
前記軸部の先端側に設けられ複数の針部分を有する針部と、
前記軸部の基端側に設けられる浮き部と、
前記軸部に疑似餌或いは生餌を取り付けるための取り付け部と、
を備え、
前記針部は、前記針部分の針先が前記軸部の基端側に向くように設けられ、
前記軸部毎に設けられる浮き部は、互いに接触可能に設けられ、
前記浮き部同士が接触することにより、衝突音が発せられるとともに、前記軸部毎に設けられる針部同士の間隔が調整されること
を特徴とする釣り針。
【請求項２】
釣り糸を取り付ける結線部と、
前記結線部に取り付けられる軸部と、
前記軸部の先端側に設けられ複数の針部分を有する針部と、
前記針部より前記軸部の先端側に設けられる浮き部と、
前記軸部に疑似餌或いは生餌を取り付けるための取り付け部と、
を備え、
前記針部は、前記針部分の針先が前記軸部の基端側に向くように設けられること
を特徴とする釣り針。
【考案の詳細な説明】
【技術分野】
【０００１】
本考案は、魚釣りに用いられる釣り針に関するものであり、特に、蛸釣りに用いられる釣り針に関する。
【背景技術】
【０００２】
従来、この種の釣り針としては、例えば、特許文献１に示すような釣り針が知られている。特許文献１に示す釣り針は、鋭利な針先と略Ｃ字状に曲成されたフトコロ部とからなる針部と、一端に該針部が連結され他端に釣り糸を取付ける釣り糸取付部が構成された本体部とからなり、本体部に浮き部と重錘部とが設けられると共に、浮き部はその浮力中心が針部寄りでかつフトコロ部側に位置し、重錘部はその重心が釣り糸取付部寄りでかつフトコロ部と反対側に位置するように調節され、さらに重錘部は、少なくともその釣り糸取付部側から針部側に向けて傾斜面を有する形状に形成されたものである。
特許文献１に示す釣り針は、海水中において釣り糸の引っ張り力に応じて変化に富む浮遊を生ずるとともに、海底表面の凹凸に対して引っ掛かりにくい構成となっている。
【先行技術文献】
【特許文献】
【０００３】
【特許文献１】特開平７−２０３８１１号公報
【考案の概要】
【考案が解決しようとする課題】
【０００４】
しかしながら、特許文献１に示す釣り針においては、当該釣り針に取り付けられた疑似餌或いは生餌に誘引された蛸に、針部の針先を引っ掛けることにより蛸を釣り上げるため、蛸に針部の針先を引っ掛けること自体が難しく、疑似餌或いは生餌に誘引させた蛸を確実に釣り上げることができないという問題があった。
【０００５】
そこで、本考案は、蛸等の釣り対象を針部の針先に容易に引っ掛けることができ、疑似餌或いは生餌に誘引させた蛸等の釣り対象を確実に釣り上げることが可能な釣り針を提供することを目的とする。
【課題を解決するための手段】
【０００６】
本考案の解決しようとする課題は以上であり、次にこの課題を解決するための手段を説明する。
【０００７】
即ち、本考案の釣り針は、釣り糸を取り付ける結線部と、前記結線部に取り付けられる複数の軸部と、前記軸部の先端側に設けられ複数の針部分を有する針部と、前記軸部の基端側に設けられる浮き部と、前記軸部に疑似餌或いは生餌を取り付けるための取り付け部と、を備え、前記針部は、前記針部分の針先が前記軸部の基端側に向くように設けられ、前記軸部毎に設けられる浮き部は、互いに接触可能に設けられ、前記浮き部同士が接触することにより、衝突音が発せられるとともに、前記軸部毎に設けられる針部同士の間隔が調整されるものである。
【０００８】
本考案の釣り針は、釣り糸を取り付ける結線部と、前記結線部に取り付けられる軸部と、前記軸部の先端側に設けられ複数の針部分を有する針部と、前記針部より前記軸部の先端側に設けられる浮き部と、前記軸部に疑似餌或いは生餌を取り付けるための取り付け部と、を備え、前記針部は、前記針部分の針先が前記軸部の基端側に向くように設けられるものである。
【考案の効果】
【０００９】
本考案の釣り針によれば、蛸等の釣り対象を針部の針先に容易に引っ掛けることができ、疑似餌或いは生餌に誘引させた蛸等の釣り対象を確実に釣り上げることができる。また、釣り針の針部を水底等から浮かせて用いることができるため、釣り針の根掛かりを防止できる。さらに、浮き部による衝突音により、釣り針に取り付けられた疑似餌或いは生餌に対して、蛸を誘引させ易くなる。
【図面の簡単な説明】
【００１０】
【図１】本考案に係る第１実施例の釣り針の使用状態を示す斜視図である。
【図２】本考案に係る第１実施例の釣り針の斜視図である。
【図３】本考案に係る第２実施例の釣り針の使用状態を示す斜視図である。
【図４】本考案に係る第２実施例の釣り針の斜視図である。
【考案を実施するための形態】
【００１１】
以下、本考案の実施例を図面に基づき説明する。まず、本考案に係る釣り針の第１実施例である釣り針１０について説明する。なお、本考案は、以下に説明する釣り針１０に限定されるものではない。
【００１２】
釣り針１０は、主に、船上或いは岸壁等において蛸を釣る際に用いられる釣り針である。図１に示すように、釣り針１０は、竿等に取り付けられる釣り糸９０の一端に取り付けられる。釣り針１０は、その中央部に、蛸を釣るための疑似餌９１或いは生餌が取り付けられる。釣り針１０は、疑似餌９１或いは生餌が取り外し可能な構成になっており、釣りを行う状況（例えば、場所、時間帯、対象となる蛸の種類等）に応じて疑似餌９１或いは生餌を取り換えることができる。釣り針１０は、その基端部（釣り糸９０が取り付けられる側の端部）に、釣り針１０を水中に沈めるための錘９３が取り付けられる。なお、釣り針１０は、その先端部（釣り糸９０が取り付けられる側とは反対側の端部）にブレード（図示せず）が取り付け可能な構造になっている。
【００１３】
図２に示すように、釣り針１０は、釣り糸９０を取り付ける結線部１１と、結線部１１に取り付けられる複数の軸部１２と、軸部１２の先端側（結線部１１が取り付けられる側とは反対側）に設けられる針部１３と、軸部１２の基端側（結線部１１が取り付けられる側）に設けられる浮き部１４と、から主に構成されている。
【００１４】
結線部１１は、その両端にリング状部分１１ａ、１１ｂを有する部材により構成される。結線部１１はその一端のリング状部分１１ａに釣り糸９０が結び付けられる。結線部１１はその他端のリング状部分１１ｂに軸部１２が取り付けられる。
【００１５】
軸部１２は、棒状の部材により構成される。軸部１２はその先端部（結線部１１が取り付けられる側とは反対側の部分）に針部１３が固定されている。軸部１２はその基端部（結線部１１が取り付けられる側の部分）にリング状部分１２ａを有する。軸部１２は、そのリング状部分１２ａと、結線部１１の他端のリング状部分１１ｂとをリング状の連結部材１５を介して連結することにより、結線部１１に取り付けられる。軸部１２は、その中央部に、蛸を釣るための疑似餌９１或いは生餌が取り付けるための取り付け部１６を有する。
【００１６】
取り付け部１６は、その先端部が軸部１２に対して着脱可能に引っ掛かるように構成される。取り付け部１６は、その先端部を疑似餌９１或いは生餌に引っ掛けて、疑似餌９１或いは生餌を挟み込むことにより、疑似餌９１或いは生餌を軸部１２に固定し、疑似餌９１或いは生餌への挟み込みを解除することで疑似餌９１或いは生餌を軸部１２から外す。
【００１７】
針部１３は、蛸を釣る際に蛸が引っ掛かる部分であり、複数の針部分を有する傘状のフック（傘鉤）により構成されている。針部１３は、その針部分の針先１３ａ（引っ掛け部分）が軸部１２の基端（結線部１１）側に向くように軸部１２に固定される。針部１３は、その中央部にブレード（図示せず）を取り付けるためのリング状部分１３ｂを有する。
【００１８】
浮き部１４は、蛸が反応する色に着色された球状の部材であり、軸部１２の基端側において軸部１２に挿入して取り付けられる。浮き部１４は、浮力を有する材質で構成されるとともに、浮き部１４同士が接触（衝突）した際に衝突音を発する材質で構成される。
【００１９】
図２に示すように、釣り針１０においては、１つの結線部１１に対して複数（図２においては２つ）の軸部１２が取り付けられる。すなわち、釣り針１０は、複数（図２においては２つ）の針部１３、浮き部１４、及び取り付け部１６を備える。
【００２０】
釣り針１０を用いた蛸釣りにおいては、蛸が、疑似餌９１或いは生餌に誘引されて、疑似餌９１或いは生餌に食らい付いた際に、釣り糸９０を操作することで、針部１３の針部分が蛸に引っ掛かる。そのため、釣り針１０は、１つの結線部１１に対して複数の針部１３を設けることで、針部１３の針部分を蛸の複数箇所に引っ掛けることができ、蛸を確実に釣り上げることができる。
【００２１】
また、釣り針１０においては、１つの結線部１１に対して複数の取り付け部１６を備えることで、複数の疑似餌９１或いは生餌を取り付けることができる。このため、複数の獲物を一度に捕獲しようとする蛸の習性を利用して蛸を効率よく疑似餌９１或いは生餌まで誘引させることができ、蛸を確実に釣り上げることができる。
【００２２】
釣り針１０は、結線部１１に結び付けられた釣り糸９０を引くことで、複数の軸部１２が結線部１１を中心に垂れ下がった状態となる。この時、軸部１２に取り付けられている浮き部１４同士が接触することで、複数の軸部１２同士が結線部１１を中心に所定の角度で開いて三角形を形成する。このため、複数の軸部１２同士が互いに接触することなく所定の間隔を有して保持される。それゆえに、軸部１２に取り付けられている針部１３同士が絡まる（接触する）ことなく、所定の間隔を有して保持される。針部１３同士が絡まる（接触する）ことなく、所定の間隔を有して保持されることから、針部１３を蛸に対して異なる方向から引っ掛けることができるため、蛸を確実に釣り上げることができる。このようなことから、浮き部１４は、上記のように浮き部１４同士が接触した際に、針部１３同士が絡まる（接触する）ことなく、所定の間隔を有して保持されるように、その球体の直径が所定の長さ以上で形成される。
【００２３】
釣り針１０は、水中に沈めることで、複数の軸部１２が結線部１１を中心に揺動する。この時、軸部１２に取り付けられている浮き部１４は互いに衝突し、衝突音を発する。この衝突音に蛸が反応することで、蛸が釣り針１０に取り付けられた疑似餌９１或いは生餌に食らい付く。すなわち、釣り針１０は、浮き部１４同士が衝突して衝突音を発することで、釣り針１０に取り付けられた疑似餌９１或いは生餌に対して、蛸を誘引させ易くなる。
【００２４】
釣り針１０は、浮力を有する浮き部１４を有することにより、水中に沈んだ際に、釣り針１０全体が浮き部１４を中心に浮いた状態となる。そして、釣り針１０全体が浮き部１４を中心に若干上向いた状態で水底に対して略水平に保持されようとする。すなわち、軸部１２の基端部が浮き部１４によって水底に対して上方に持ち上げられることで針部１３が上昇し、針部１３の針部分の針先１３ａが水底から離れた状態となる。これにより、釣り針１０（針部１３）の根掛かりを防止することができる。また、釣り針１０は、浮き部１４を有することにより、流れがある場所では浮き部１４が抵抗となる。
【００２５】
本考案に係る釣り針の第２実施例である釣り針２０について説明する。なお、本考案は、以下に説明する釣り針２０に限定されるものではない。
【００２６】
釣り針２０は、主に、投げ釣りにより蛸を釣る際に用いられる釣り針である。図３に示すように、釣り針２０は、投げ釣り用の竿に取り付けられる釣り糸９０の一端に取り付けられる。釣り針２０は、その中央部に、蛸を釣るための疑似餌９１或いは生餌が取り付けられる。釣り針２０は、疑似餌９１或いは生餌が取り外し可能な構成になっており、釣りを行う状況（例えば、場所、時間帯、対象となる蛸の種類等）に応じて疑似餌９１或いは生餌を取り換えることができる。釣り針２０は、その基端部（釣り糸９０が取り付けられる側の端部）に、釣り針２０を水中に沈めるための錘９３が取り付けられる。なお、釣り針２０は、その先端部にブレード（図示せず）が取り付け可能な構造になっている。
【００２７】
図４に示すように、釣り針２０は、釣り糸９０を取り付ける結線部２１と、結線部２１に取り付けられる軸部２２と、軸部２２の先端側（結線部２１と軸部２２とが連結される側とは反対側）に設けられる針部２３及び浮き部２４と、から主に構成されている。なお、結線部２１、軸部２２、針部２３（針先２３ａ）及び取り付け部２６は、その構成が結線部１１、軸部１２、針部１３（針先１３ａ）及び取り付け部１６と同じため説明を省略する。
【００２８】
浮き部２４は、蛸が反応する色に着色された球状の部材であり、浮力を有する材質で構成される。浮き部２４は、針部２３より軸部２２の先端側に設けられる。具体的には、浮き部２４は、針部２３の中央部であって、針部分の針先２３ａが向く方向とは反対側（結線部２１と軸部２２とが連結される側とは反対側）に取り付けられる。浮き部２４は、その側面部にブレード（図示せず）を取り付けるためのリング状部分２４ａを有する。
【００２９】
釣り針２０は、浮力を有する浮き部２４を有することにより、水中に沈んだ際に、釣り針２０全体が浮き部２４を中心に浮いた状態となる。すなわち、軸部２２の先端部が浮き部２４によって水底に対して上方に持ち上げられることで針部２３が上昇し、針部２３の針部分の針先２３ａが水底から離れた状態となる。この時、針先２３ａは水底の方向に向いた状態で保持される。これにより、針先２３ａが水底を引き摺ることがないため、釣り針２０（針部２３）の根掛かりを防止することができる。また、軸部２２の先端部が軸部２２の基端部より水底に対して上昇した状態で傾斜することから、取り付け部２６に取り付けられた疑似餌９１或いは生餌が水底に対して上方に傾斜した状態で特異な動きをすることとなる。そのため、釣り針２０に取り付けられた疑似餌９１或いは生餌に対して、蛸が反応し易くなる。
【００３０】
以上のように、釣り針１０、２０においては、蛸を針部１３、２３の針先１３ａ、２３ａに容易に引っ掛けることができ、疑似餌９１或いは生餌に誘引させた蛸を確実に釣ることができる。また、釣り針１０、２０においては、針部１３、２３を水底から浮かせて用いることができるため、釣り針１０、２０（針部１３、２３）の根掛かりを防止できる。さらに、釣り針１０においては、浮き部１４による衝突音により、釣り針１０に取り付けられた疑似餌９１或いは生餌に対して、蛸を誘引させ易くなる。
【００３１】
なお、本実施形態においては、釣り針１０、２０を蛸釣りに用いているが、これに限定されるものではなく、例えば、イカ等の他の釣りに用いても構わない。
【００３２】
本実施形態においては、浮き部１４、２４の内部を中空状に形成し、その中空状の内部に、例えば、粒状の部材を入れることで、浮き部１４、２４自体から衝突音を発するように構成しても構わない。
【符号の説明】
【００３３】
１０、２０                  釣り針
１１、２１                  結線部
１２、２２                  軸部
１３、２３                  針部
１３ａ、２３ａ              針先
１４、２４                  浮き部
１６、２６                  取り付け部
９０                        釣り糸
９１                        疑似餌
【図１】
0003209868.tif 000003
【図２】
0003209868.tif 000004
【図３】
0003209868.tif 000005
【図４】
0003209868.tif 000006